(57)【要約】【課題】  通常のダンベルでは成し得なかった、使用時にトレーニング器具の重心の位置を効果的に移動させることで、手首、肘、肩等の回転運動を大きくし、筋肉の捻れを広範囲に及ぼすことで、筋肉の内部にまで負荷をかけ、外筋、内筋、上半身、下半身を鍛えることができるトレーニング器具を提供する。【解決手段】  グリップ１と、グリップ１の両端におもり部２を有するダンベル型トレーニング器具において、グリップ１とおもり部２を一体的且つアール状に形成し、おもり部２の重心をグリップ１の長手方向の軸Ａの延長線上に位置させないように形成する。【選択図】図１
2010082403.tif 000002
【特許請求の範囲】
【請求項１】
グリップと、前記グリップの両端におもり部を有するダンベル型トレーニング器具において、前記グリップと前記おもり部を一体的且つ円弧状に形成し、前記おもり部の重心を前記グリップの軸上に位置させないように形成することを特徴とする。
【請求項２】
前記おもり部は、着脱可能に形成することができることを特徴とする請求項１に記載のトレーニング器具。
【請求項３】
前記グリップに対して前記おもり部及び前記おもり部の端部は、上下左右及び斜めに角度をもって傾斜させることができることを特徴とする請求項１乃至２に記載のトレーニング器具。
【発明の詳細な説明】
【技術分野】
【０００１】  本発明は、通常のダンベルでは鍛えることのできない広範囲な筋肉を鍛えるためのトレーニング器具に関するものである。
【背景技術】
【０００２】  スポーツ全般において、握力強化、筋力強化のトレーニング用具にダンベルが使用されているが、通常のダンベルはグリップの延長線上におもりがある直状型のために、使用する場合にグリップとおもりの重心が同じ軸上にあり、決まった動きしかできず、決まった部位にのみ負荷をかける運動しかできなかった。そこで、考えられたのが重心の位置を移動させながら、広範囲に筋肉の運動を促進させることができる湾曲ダンベルであった（例えば特許文献１参照）。
【特許文献１】  特開２００６−４３３９６号公報
【発明の開示】
【発明が解決しようとする課題】
【０００３】  本発明は、特許文献１をさらに改良向上させ、トレーニング器具の重心の位置を上下左右に移動させることで、手首、肘、肩等の回転運動を自然に大きくし、これにより、各関節の可動域を広げるとともに筋肉への捻れ運動を効果的に行い、筋肉の内部にまで負荷をかけ、外筋、内筋を鍛えることができるトレーニング器具を提供することを目的とする。
【課題を解決するための手段】
【０００４】  上記目的を達成するために請求項１に記載の本発明は、グリップと、前記グリップの両端におもり部を有するダンベル型トレーニング器具において、前記グリップと前記おもり部を一体的且つ円弧状に形成し、前記おもり部の重心を前記グリップの軸上に位置させないように形成することを特徴とする。【０００５】  上記目的を達成するために請求項２に記載の本発明は、前記おもり部は、着脱可能に形成することができることを特徴とする。【０００６】  上記目的を達成するために請求項３に記載の本発明は、前記グリップに対して前記おもり部及び前記おもり部の端部は、上下左右及び斜めに角度をもって傾斜させることができることを特徴とする。
【発明の効果】
【０００７】  上述した本発明のトレーニング器具にあっては、おもり部を体側とは反対側の方向に向けると同時におもり部の端部を上に向けアンダーグリップ（手の甲を下に向けた握り方）で握り、リストカールというトレーニング（肘から手首までを使ったダンベルの上下運動）をした場合、グリップを握った手より重心が外側上方向に位置することで、手の甲側の手首から肘までの筋肉及び上腕筋などに負荷をかけることができるという優れた効果を発揮する。【０００８】  また、おもり部を体側とは反対側の方向に向けると同時におもり部の端部を下に向けオーバーグリップ（手の甲を上に向けた握り方）で握り、リストカールというトレーニング（肘から手首までを使ったダンベルの上下運動）をした場合、グリップを握った手より重心が外側下方向に位置することで、手の平側の手首から肘までの筋肉及び上腕筋に負荷をかけることができるという優れた効果を発揮する。【０００９】  反対に、おもり部を体側に向けると同時におもり部の端部を上に向けアンダーグリップで握り、手首から肩までを使い上下運動をした場合、グリップを握った手より重心が内側上方向に位置することで、上腕筋、肩の筋肉、脇、背中などに負荷をかけることができるという優れた効果を発揮する。【００１１】  また、おもり部を下にしておもり部の端部を外側に向け、グリップをアンダーグリップで握り、上下運動をした場合、グリップを握った手より重心が下側外方向に位置することで、手の甲側の腕の筋肉、上腕筋、肩、脇、背中などの筋肉に負荷をかけることができるという優れた効果を発揮する。【００１２】  また、おもり部を上にしておもり部の端部を内側に向け、グリップをオーバーグリップ（手の甲を上にした握り方）で握り、上下運動をした場合、グリップを握った手より重心が上側内方向に位置することで、手の甲側の腕の筋肉、上腕筋、肩、脇、背中などの筋肉に負荷をかけることができるという優れた効果を発揮する。【００１３】  上述のように、本発明のトレーニング器具は、おもり部の位置がグリップを握った手の位置の直線上にないことから、回旋（かいせん）運動、上下運動をすることで、おもり部の重心の位置がさまざまに変わり、筋肉への捻れ運動が促進され一つのダンベルで体の広範囲な部位、例えば各関節及び内筋、外筋等の筋肉に負荷をかけることができる。これにより、肉体に幅広くさらにバランス良く関節、筋肉を鍛え、有効な腱の使い方ができるという優れた効果を発揮することができる。
【発明をするための最良の形態】
【００１４】  以下、本発明の実施の形態を図１から図１８を参照して詳しく説明する。ただし、本実施の形態により、本発明が限定されるものではなく、以下の実施の形態は、本発明のトレーニング器具についての一例として説明するものであり、この説明の内容に限定されるものではない。
【００１５】  図１は、本発明のトレーニング器具の平面図である。本発明のトレーニング器具は、グリップ１、おもり部２、端部３、グリップ１を握る軸Ａから構成される。本発明のトレーニング器具のグリップ１を握る軸Ａは直線であり、その直線の延長線上におもり部２の重心が位置しないように形成することが特徴である。
【００１６】  また、本発明のトレーニング器具の素材は、木、プラスチック等の樹脂、ゴム、真鍮、鋳物、鉄などで形成することができる。
【００１７】  また、グリップ１はアール状（円弧）に形成することもでき、直状に形成することもできる。おもり部は、角柱型、円柱型、へら型、丸形、球型、またその形状を長くしたり、短くしたりなど自由に形成することができる。
【００１８】  図２は、本発明のトレーニング器具の左側面図である。本発明のトレーニング器具を水平に置いた場合に、図２のようにグリップ１よりおもり部２が上に持ち上げられるように形成され、端部３はさらにおもり部２より上を向くような格好で形成され、グリップ１の握りの軸Ａ上におもり部２の重心が位置しないように形成する。
【００１９】  図３は、本発明のトレーニング器具の右側面図である。左側面図同様、本発明のトレーニング器具を水平に置いた場合に、図３のようにグリップ１よりおもり部２が上に持ち上げられるように形成され、端部３はさらにおもり部２より上を向くような格好で形成することで、グリップ１の握りの軸Ａ上におもり部２の重心が位置しないように形成する。
【００２０】  図４は、本発明のトレーニング器具の正面図である。おもり部２及び端部３は、グリップ１より上方向、上側斜め方向、下方向、下側斜め方向に位置することができ、形状を例えれば自転車のドロップハンドルのような三次元的な曲線が作られる。
【００２１】  図５は、本発明のトレーニング器具の背面図である。
【００２２】  図６は、本発明のトレーニング器具の底面図である。
【００２３】  図７は、本発明のトレーニング器具の斜視図である。グリップ１の握りの軸Ａの延長線上におもり部２の重心を位置させないことにより、通常のダンベルのように二次元的ではなく三次元的に形成することができる。この三次元の構造により使用時におもりの重心の位置が変化し、重心の軌道が広がることで、広範囲に筋肉、腱、関節に負荷がかかり、体全体の筋肉を鍛え、関節の可動域が広がるようになる。
【００２４】  図８は、本発明のトレーニング器具のおもり部２の端部３を上に向けて置いた場合の図である。イは本発明のおもり部２の端部３が上方向に位置したものであり、ロはイのおもり部２と端部３が斜めに捻られた状態の図である。おもり部２が斜めに捻られることにより端部３も斜め方向を向いている。このおもり部２と端部３がグリップ１に対してどの方向を向くか、どの位置にあるかにより、重心の位置を変化させることができる。また、おもり部２を長くした場合と、短くした場合にも重心の位置は大きく異なることから、グリップ１とおもり部２及び端部３の形状及び位置関係は、トレーニングの種類により自由に調整することができる。イ、ロどちらも実施の一例である。
【００２５】  図９は、特開２００６−４３３９６号公報の湾曲ダンベルである。グリップ４、おもり部５、グリップ４を握る軸Ｂで構成されている。特開２００６−４３３９６号公報は、湾曲した形状に形成されているが、全体の構造は２次元的であるために、重心の位置は一定の場所から動かない構造になっている。よって、筋肉の運動が静的になり、筋肉をバネのように動かす腱の弾力効果を利用することができないという欠点があった。
【００２６】  筋肉の両端にある腱は、一定にかかる負荷に対しては、動作中は一定の長さを保ち続け、伸縮できないという特性がある。よって、特開２００６−４３３９６号公報を使用した場合には、重心が動かないために負荷が一定であり、腱の特性である弾力性を発揮することが困難になる。弾力性を発揮できないということは、スポーツ時に動きが硬くなるということであり、俊敏な動作が発揮できないということにつながる。
【００２７】  図１０は、通常のダンベルの図である。グリップ６、おもり部７で構成されている。通常のダンベルはグリップ６を握る軸Ｃの延長線上の両端におもり部７が位置することで重心がグリップの上下左右の中心に位置する。また、本発明のトレーニング器具と異なり、使用時に重心がグリップの外側に移動するということも起こり得ない。よって、通状のダンベルも重心の位置が一定であるために、トレーニング時の負荷も一定に作用し、筋肉を動かすバネの役割を持つ腱を効果的に伸縮させることができない。
【００２８】  図１１は、本発明の第２の実施例である。グリップ１′おもり部２′を上又は下に曲げ、さらに内側又は外側に捻るように形成したものである。曲げる、捻る角度により重心の位置を更に変化させることが可能となる。
【００２９】  図１２は、本発明のトレーニング器具を使用した場合の重心の位置を示したものである。ハはおもり部２をグリップ１より下にして使用した場合の重心点ｇ、ニはおもり部２をグリップ１より上にして使用した場合の重心点ｇ′、ホはおもり部２をグリップ１より体側にして使用した場合の重心点ｇ″の位置である。手でグリップ１を握った場合に、手と２つのおもり部２の間には、目に見えない三角形ができる。三角形の各頂点と対辺の中点を結び、３本の線が交わったところが重心の位置になることは自明のことであり、おもり部２を下にした場合の重心点ｇと、おもり部２を上にした場合の重心点ｇ′と、おもり部２を体側にした場合の重心点ｇ″はいずれも異なる。
【００３０】  また、本発明のトレーニング器具はグリップ１の軸の中心点を握る手の位置と２つのおもり部２をつないだ線が、正三角形または二等辺三角形を成すように形成することで、筋肉や腱、関節に偏った負荷がかかることがなく、常にバランスの取れた状態でトレーニングができる。
【００３０】  図１３は、通常のダンベルを左右に回転運動をした場合の軌道を表したものである。Ｄは左右に回転運動をしている時の回転軸である。ａは通常のダンベルの円軌道である。ｂは通常のダンベルのグリップ６を握る軸の中心である。また、ｂは通状のダンベルの重心点でもある。通常のダンベルはグリップ６を握る軸ｂの直線の延長線上におもり部７があるために、左右上下に回転させても重心の位置はグリップ６を握る軸ｂ上に存在する。
【００３１】  図１４は、特開２００６−４３３９６号公報の湾曲ダンベルを左右に回転運動した場合の円軌道を実線で表し、通常のダンベルを左右に回転運動をした場合の円軌道を点線で表し比較をしたものである。Ｄは左右の回転運動をしている時の回転軸である。ａは通常のダンベルの左右の回転運動をしている場合の軌道である。ｂは通常のダンベルのグリップ６を握る軸の中心点である。また、ｂは通常のダンベルの重心点でもある。ｃは特開２００６−４３３９６号公報の湾曲ダンベルの左右の回転運動をしている場合の軌道である。ｄは特開２００６−４３３９６号公報の湾曲ダンベルの重心点である。ａの軌道に比べてｃの軌道は大きくなる。
【００３２】  図１５は、本発明のトレーニング器具を左右に回転運動をした場合の円軌道と重心の移動を実線で表し、通常のダンベルを左右に回転運動をした場合の円軌道を点線で表したものである。Ｄは左右の回転運動をしている時の双方共通の回転軸である。ａは通常のダンベルの左右の回転運動をしている場合の軌道である。ｂは通常のダンベルのグリップ６を握る軸の中心点であり、重心の位置でもある。ｅは本発明のトレーニング器具の左右の回転運動をしている場合の軌道である。ｆは本発明のトレーニング器具で左右の回転運動をすることにより重心が移動する軌道である。ｇは本発明のトレーニング器具が静止している時の重心点である。ｆの軌道が大きくなればなるほど、ｅの軌道も大きくなり大きな回転運動が可能になる。
【００３３】  図１５から分かるように通常のダンベルは重心点ｂが動くことがないので左右の回転運動をしても円軌道は小さい。本発明のトレーニング器具の重心点ｇは左右の回転運動をすることにより、移動を繰り返し軌道ｆができる。固定された重心点ｂを持つ通常のダンベルの円軌道ａと、重心点ｇが移動する軌道ｆを持つ本発明のトレーニング器具の円軌道ｅを比較すると、円軌道ｅが大きくなるのは必然的であり、この軌道が大きくなった分だけ、おもり部２の端部３の軌道も大きくなることで、筋肉、関節への捻れ運動が大きくなり、通常のダンベルに比べて筋肉、腱、関節への負荷の範囲が広くなる。
【００３４】  段落２６で、負荷が一定である場合は筋肉の両端にある腱は弾力性を発揮できないことを述べたが、逆に負荷が変化する場合には、腱は筋肉をしなやかにバネのように動かすことができるという特性を持っている。筋肉を伸長、短縮させる反動動作を行うことで腱はバネのように伸縮し、スポーツ時にも俊敏な動きが可能となってくる。本発明のトレーニング器具は回転運動をすることにより、重心の軌道がｆのように動く。重心が動くことで、筋肉も収縮しながら動くことができ、筋肉に付随する腱も伸縮することができる。腱が伸縮することで、さらに筋肉も反動するように収縮することができ、体全体につながった筋肉を一連の運動により効果的に鍛えることができる。
【００３５】  筋肉には、骨格に巻き付くように付着している骨格筋があり、その骨格筋の収縮により体を動かすことができる。また、関節部で骨と骨を結合するのが靭帯、そして骨格筋と骨をつなぐのが腱である。このように、筋肉は骨、靭帯、腱などにより体全体につながっている構造になっている。本発明のトレーニング器具は、使用時に重心の位置が移動することで、トレーニング器具自体に重量変化が現れ、体に対する負荷にも重さの変化の強弱を与えることができる。強く（重く）、弱く（軽く）を繰り返し運動することで、骨格筋や腱の伸縮により体全体につながった各筋肉を効果的に鍛えることができる。
【００３６】  図１６は、本発明のトレーング器具を手の平で上下の回転運動を行った場合の重心ｇと、端部３の軌道ｈを部分的に拡大した図である。グリップ１、おもり部２、端部３、グリップ１を握る軸の中心点ｂ、重心点ｇ、重心点ｇの軌道ｉ、端部３の軌道ｈを表している。
【００３７】  左右の回転運動をした場合の図１５は、重心点ｇの軌道ｆがグリップ１よりおもり２の端部３方向に位置するが、図１６は上下の回転運動のために、重心ｇの軌道ｉは、グリップ１を中心に上下に回転するように移動する。本発明のトレーニング器具は、上下左右の回転運動により重心をさまざまに変化させることで、筋肉に与える負荷にも強弱をつけることができ筋肉の奥深くまで効果的に鍛えることができる。
【００３８】  図１７は、本発明のトレーニング器具を握り、おもり部２の端部３を上側に向けた状態で腕を使って回転運動をした場合の図である。ｂはグリップを握る軸の中心点、ｇは重心点、ｊは手首が返る地点、ｋはグリップ２を水平に保っている位置である。ｊはグリップを握る軸ｂと重心点ｇの２つの点が直線上にある位置である。この重心点ｇがｂの位置より体の外側に移動する地点が自然に手首が返る地点である。
【００３９】  図１８は、本発明のトレーニング器具を水平に握った位置で、おもり部２の端部３を下側に向けた状態で腕を使って回転運動をした場合の図である。ｂはグリップを握る軸の中心点、ｇは重心点、ｊ′は手首が返る地点、ｋ′はグリップ２を水平に保っている位置である。ｊ′はグリップを握る軸ｂと重心点ｇの２つの点が直線上にある位置である。この重心点ｇが直線上より外側に移動する位置で自然に手首が返る地点である。
【００４０】  図１８は、野球の投手がトレーニングでゴムチューブの一方を固定させ、反対側の一方を握り投球スタイルで引っ張るトレーニングと同じような効果が得られる。ゴムチューブを使ったトレーニングは、手、肘、腕を前へ押し出し、肩の可動域を広げるために効果的なトレーニングであり、本発明のトレーニング器具を図１８のように持ち投球フォームでゆっくり練習をすることで、ゴムチューブを引っ張る時のような負荷をかけることができる。これは、重心が後方下側に位置することで、ｋ′の位置にある時は、肩から後ろに腕が引っ張られるような効果があり、また、図１７より重心移動が遅くなることで、ｊ′の手首が返る位置まで腕を最大限に前へ伸ばすことができるからである。
【００４１】  図１７と図１８を比較すると、本発明のトレーニング器具を水平に握った位置で、おもり部２の端部３を上側に向けるか、下側に向けるかによって手首の返る位置がｊ、ｊ′で異なる。これは、おもり部２の端部３の向きにより重心の位置が異なり、図１７のように端部３を上側に向けて握り、腕を使って回転運動をした場合には、重心点ｇが上方向に位置するために、手首が返る地点が早い段階で行われる。また、図１８のようにおもり部２の端部３を下側に向けると重心点ｇは下方向に位置するために、手首の返る地点ｊ′が図１７より遅くなる。この重心点ｇの位置により重心移動が速くなるか遅くなるかが決定される。よって、おもり部２の端部３がグリップ２を握る軸ｂより上側に形成するか、下側に形成するか、斜めに形成するかにより重心の位置が異なるために、グリップ２を握る軸ｂ、おもり部２、端部３の位置形成は重要な要素であり、トレーニングの内容によって自由に変えることができる。
【００４２】  この重心移動が早くなる場合のトレーニングは、例えば腕の振りを早くするためのスポーツに効果があり、逆に重心移動が遅くなる場合のトレーニングには、より遠くまで腕を振ることが必要なスポーツに効果がある。例えば、投手、投てき、ハンドボール、バスケットボール、テニス、バドミントンなど多岐にわたる。また、本発明のトレーニング器具を握ってトレーニングをした場合には、上半身にも重心移動が行われるために、上半身の重心移動に呼応するように、下半身も安定しようと踏ん張る力が働き、上半身、下半身共に鍛えることができる。
【産業上の利用可能性】
【００４３】  本発明は、１種類のダンベルで筋肉強化、関節の可動域の拡大、より早く腕を振るための強化、より前へ腕を振るための強化、上下半身の強化など、多岐にわたったトレーニングができることから、スポーツにおける体力増強のためのトレーニング、運動不足を解消するためのトレーニング、怪我等で回復を促すためのリハビリテーションなどに利用可能である。
【図面の簡単な説明】
【００４４】
【図１】  本発明の実施形態を示す平面図
【図２】  本発明の実施形態を示す左側面図
【図３】  本発明の実施形態を示す右側面図
【図４】  本発明の実施形態を示す正面図
【図５】  本発明の実施形態を示す背面図
【図６】  本発明の実施形態を示す低面図
【図７】  本発明の実施形態を示す斜視図
【図８】  本発明の実施形態を示すおもり部の端部の形状を比較した正面図
【図９】  特開２００６−４３３９６号公報の湾曲ダンベルの斜視図
【図１０】  従来のダンベルの斜視図
【図１１】  本発明の第２の実施例
【図１２】  本発明を握って、おもりの位置を変えて使用する場合の重心点の比較図
【図１３】  通常のダンベルのおもり部の軌道と重心点
【図１４】  開２００６−４３３９６号公報の湾曲ダンベルを回転運動をさせた場合のおもり部の軌道と通状のダンベルのおもり部の軌道と重心点の比較図
【図１５】  本発明を左右に回転運動させた場合のおもり部の軌道と重心点の軌道及び通状のダンベルのおもり部の軌道の比較図
【図１６】  本発明を上下の回転運動をさせた場合のおもり部端部の軌道と重心の移動の軌道図
【図１７】  本発明を握り、おもり部端部を上に向けて腕を使った回転運動をしている図
【図１８】  本発明を握り、おもり部端部を下に向けて腕を使った回転運動をしている図
【符号の説明】
【００４５】１    グリップ
２    おもり部
３    おもり部の端部
４    特開２００６−４３３９６号公報の湾曲ダンベルのグリップ
５    特開２００６−４３３９６号公報の湾曲ダンベルのおもり
６    通状のダンベルのグリップ６
７    通状のダンベルのおもり部７
１′  本発明の第２の実施例のグリップ
２′  第２の実施例のおもり部
Ａ    グリップの長手方向の軸
Ｂ    特開２００６−４３３９６号公報の湾曲ダンベルのグリップ長手方向の軸
Ｃ    通状のダンベルのグリップ長手方向の軸
Ｄ    回転軸
ａ    通状のダンベルのおもり部の軌道
ｂ    本発明のグリップを握る軸及び通常のダンベルのグリップを握る軸及び重心点
ｃ    特開２００６−４３３９６号公報の湾曲ダンベルのおもり部の軌道
ｄ    特開２００６−４３３９６号公報の湾曲ダンベルの重心点
ｅ    本発明のおもり部端部の軌道
ｆ    重心点の軌道
ｇ、ｇ′、ｇ″    重心点
ｈ    おもり部端部の軌道
ｉ    重心の移動の軌道
ｊ    握りの軸と重心点を結ぶ直線
ｊ′  握りの軸と重心点を結ぶ直線
ｋ    本発明を水平に握った位置
ｋ′  本発明を水平に握った位置
【図１】
2010082403.tif 000003
【図２】
2010082403.tif 000004
【図３】
2010082403.tif 000005
【図４】
2010082403.tif 000006
【図５】
2010082403.tif 000007
【図６】
2010082403.tif 000008
【図７】
2010082403.tif 000009
【図８】
2010082403.tif 000010
【図９】
2010082403.tif 000011
【図１０】
2010082403.tif 000012
【図１１】
2010082403.tif 000013
【図１２】
2010082403.tif 000014
【図１３】
2010082403.tif 000015
【図１４】
2010082403.tif 000016
【図１５】
2010082403.tif 000017
【図１６】
2010082403.tif 000018
【図１７】
2010082403.tif 000019
【図１８】
2010082403.tif 000020